(57)【要約】【課題】椎骨近傍の筋に磁気を作用させて、背骨に凝り感やだるさや痛みを解消するための手段の提供。【解決手段】本考案の脊椎用磁気装着体１は、身体装着時に、身体の脊椎の近傍に磁気を発生させる板状磁性体２Ａを、袋２Ｃに収納された支持用磁性体２Ｂに磁気吸着させて支持する。前記袋２Ｃは、第１の保持手段３、第３の保持手段４、および第４の保持手段５で背中の所定の位置に保持する。前記板状磁性体２Ａは、袋に収納されずに直接身体に磁界を及ぼすように構成した。【選択図】 図４
0003141986.tif 000002
【実用新案登録請求の範囲】
【請求項１】
身体装着時に身体の脊椎およびその両側部に磁界を形成する縦長で可撓性の板状磁性体と、
前記板状磁性体を磁気吸引効果によって身体の脊椎およびその両側部の近傍に支持する縦長で可撓性の支持手段と、
前記支持手段の下部に連結されて、前記支持手段の下部を身体の脊椎の近傍に保持するように、身体の腰部に係止する下部係止手段と、
前記支持手段の上部に連結されて、前記支持手段の上部を身体の脊椎の近傍に保持するように、身体の肩部に係止する上部係止手段と、
を具備したことを特徴とする脊椎用磁気装着体。
【請求項２】
前記下部係止手段は、
前記支持手段の下部に連結されて、前記支持手段を身体の脊椎の近傍に保持するベルト状の第１の保持手段と、
前記支持手段の下部から１０センチ〜２０センチ上の部分に連結されて、前記支持手段を身体の脊椎側に向けて引き寄せて脊椎に沿って湾曲させた状態で保持するベルト状の第２の保持手段と、
を具備していることを特徴とする請求項１に記載の脊椎用磁気装着体。
【請求項３】
前記下部係止手段は、
前記支持手段の下部に連結されて、前記支持手段を身体の脊椎の近傍に保持するベルト状の第１の保持手段と、
前記支持手段の下部から１０センチ〜２０センチ上の部分に連結されて、前記支持手段を身体の脊椎側に向けて引き寄せて脊椎に沿って湾曲させた状態で保持するベルト状の第２の保持手段と、
前記第２の保持手段よりさらに１センチ〜１０センチ上の部分に連結されて、前記支持手段を身体の脊椎側に向けて引き寄せて脊椎に沿って湾曲させた状態で保持するベルト状の第３の保持手段と、
を具備していることを特徴とする請求項１〜２の何れか１項に記載の脊椎用磁気装着体。
【請求項４】
前記下部係止手段は、身体に応じて長さを調節可能な長さ調節手段を備えていることを特徴とする請求項１〜３の何れか１項に記載の脊椎用磁気装着体。
【請求項５】
前記上部係止手段は、前記支持手段の上部に連結されて、先端が身体の両肩を回って前記下部係止手段に係止し得るように構成された少なくとも１本のベルト状の肩ベルトとしたことを特徴とする特徴とする請求項１〜４の何れか１項に記載の脊椎用磁気装着体。
【請求項６】
前記上部係止手段は、身体に応じて長さを調節可能な長さ調節手段を備えていることを特徴とする請求項５に記載の脊椎用磁気装着体。
【請求項７】
前記板状磁性体は、縦が３０センチ〜６０センチ、横が５センチ〜１５センチの可撓性の板状であって、少なくとも１方の面には磁界が形成され、他方の面には磁性体が配設され、
前記支持手段による磁気吸引効果によって、前記磁界を身体の脊椎側に向けた状態で支持されるように構成されていることを特徴とする請求項１〜６の何れか１項に記載の脊椎用磁気装着体。
【請求項８】
前記下部係止手段の周長は６０センチ〜１２０センチとし、
前記下部係止手段は身体の腹部に着脱可能な面ファスナーを備え、
前記板状磁性体を身体の脊椎近傍に位置させた状態で、前記支持手段に磁気吸引させて保持するように構成したことを特徴とする請求項１〜７の何れか１項に記載の脊椎用磁気装着体。
【請求項９】
前記板状磁性体もしくは前記支持用磁性体の少なくとも何れか一方の吸引面には、長手方向に不連続な磁界が形成されていることを特徴とする請求項１〜８の何れか１項に記載の脊椎用磁気装着体。
【請求項１０】
前記板状磁性体および前記支持用磁性体は、少なくとも一方の面に磁極が配設された可撓性の板状ゴム磁石で形成されていることを特徴とする請求項１〜９の何れか１項に記載の脊椎用磁気装着体。
【考案の詳細な説明】
【技術分野】
【０００１】
本考案は、脊椎まわりの磁気治療効果を得るための脊椎用磁気装着体に関するものである。
【背景技術】
【０００２】
人間の脊椎を構成する椎骨には棘突起と横突起があり、棘突起から１つ下あるいは２つ下の椎骨の横突起に付着する棘筋と上と下の椎骨の横突起に付着する横突 間筋がある。これらの筋は背骨を回旋させる筋と横に弯曲させる筋である。これらの筋を過剰に使い疲れが生じたときに、背骨に凝り感やだるさや痛みを感じる のである。
【考案の開示】
【考案が解決しようとする課題】
【０００３】
しかし、肩凝り対策用の小型磁石等は椎骨の回りに配置しにくいという問題があった。
【０００４】
そこで、本考案は、椎骨近傍の筋に磁気を作用させて、背骨に凝り感やだるさや痛みを解消するための手段の提供を目的としてなされたものである。
【課題を解決するための手段】
【０００５】
本考案にかかる身体装着体の請求項１では、身体装着時に身体の脊椎およびその両側部に磁界を形成する縦長で可撓性の板状磁性体と、前記板状磁性体を磁気吸引効果によって身体の脊椎およびその両側部の近傍に支持する縦長で可撓性の支持手段と、前記支持手段の下部に連結されて、前記支持手段の下部を身体の脊椎の近傍に保持するように、身体の腰部に係止する下部係止手段と、前記支持手段の上部に連結されて、前記支持手段の上部を身体の脊椎の近傍に保持するように、身体の肩部に係止する上部係止手段と、を具備している。
請求項２では、前記下部係止手段は、前記支持手段の下部に連結されて、前記支持手段を身体の脊椎の近傍に保持するベルト状の第１の保持手段と、前記支持手段の下部から１０センチ〜２０センチ上の部分に連結されて、前記支持手段を身体の脊椎側に向けて引き寄せて脊椎に沿って湾曲させた状態で保持するベルト状の第２の保持手段と、を具備している。
なお、第２の保持手段の連結位置を、前記支持手段の下部から１０センチ未満にしたり、２０センチを越える範囲にすると脊椎に向けて引き寄せる効果が期待できなくなる。
請求項３では、前記下部係止手段は、前記支持手段の下部に連結されて、前記支持手段を身体の脊椎の近傍に保持するベルト状の第１の保持手段と、前記支持手段の下部から１０センチ〜２０センチ上の部分に連結されて、前記支持手段を身体の脊椎側に向けて引き寄せて脊椎に沿って湾曲させた状態で保持するベルト状の第２の保持手段と、前記第２の保持手段よりさらに１センチ〜１０センチ上の部分に連結されて、前記支持手段を身体の脊椎側に向けて引き寄せて脊椎に沿って湾曲させた状態で保持するベルト状の第３の保持手段と、を具備している。
なお、第３の保持手段の連結位置を、前記第２の保持手段よりさらに１センチ未満にしたり、１０センチを越える範囲にすると脊椎に向けて引き寄せる効果が期待できなくなる。
請求項４では、前記下部係止手段は、身体に応じて長さを調節可能な長さ調節手段を備えている。
請求項５では、前記上部係止手段は、前記支持手段の上部に連結されて、先端が身体の両肩を回って前記下部係止手段に係止し得るように構成された少なくとも１本のベルト状の肩ベルトとした。
請求項６では、前記上部係止手段は、身体に応じて長さを調節可能な長さ調節手段を備えている。
請求項７では、前記板状磁性体は、縦が３０センチ〜６０センチ、横が５センチ〜１５センチの可撓性の板状であって、少なくとも１方の面には磁界が形成され、他方の面には磁性体が配設され、前記支持手段による磁気吸引効果によって、前記磁界を身体の脊椎側に向けた状態で支持されるように構成されている。
なお、前記板状磁性体の縦を３０センチ未満にすると脊椎に対する磁気効果が期待できない。６０センチを越えると背中に対して大きすぎて装着しにくい。横が５センチ未満だと脊椎の周囲をカバーすることができない。１５センチより大きくすると背中に対して大きすぎて装着しにくい。
請求項８では、前記下部係止手段の周長は６０センチ〜１２０センチとし、前記下部係止手段は身体の腹部に着脱可能な面ファスナーを備え、前記板状磁性体を身体の脊椎近傍に位置させた状態で、前記支持手段に磁気吸引させて保持するように構成した。
なお、前記下部係止手段の周長を６０センチ未満にすると身体に装着できない。１２０センチを越えると長すぎて邪魔になる。
請求項９では、前記板状磁性体もしくは前記支持用磁性体の少なくとも何れか一方の吸引面には、長手方向に不連続な磁界が形成されている。
請求項１０では、前記板状磁性体および前記支持用磁性体は、少なくとも一方の面に磁極が配設された可撓性の板状ゴム磁石で形成されている。
【考案の効果】
【０００６】
本考案の脊椎用磁気装着体によれば、身体装着時に身体の脊椎およびその両側部に磁界を形成する縦長の板状磁性体は、支持手段によって所定の部位に支持されており、前記支持手段を下部係止手段と上部係止手段とで脊椎の近傍に保持されているので、板状磁性体と身体との間には、袋などの余分な部材が介在しないので、磁気が減衰しにくくなり、脊椎およびその両側部において磁気による血行促進効果などが期待でき、痛み抑制効果が期待できる。
また、第２の保持手段によって、前記板状磁性体の下部を身体の脊椎側に向けて引き寄せて脊椎に沿って湾曲させた状態で保持するので、脊椎およびその両側部に対する上記効果が得られる。
また、上部係止手段によって、前記板状磁性体の上部を、両肩越しに保持するので、身体が動いても、脊椎用磁気装着体を安定して保持できる。
このようにして、前記板状磁性体を身体の脊椎近傍に位置させた状態で、身体の背中に密着させた状態で保持できるのである。
また、前記板状磁性体は、少なくとも一方の面に磁極が配設された可撓性の板状ゴム磁石で形成されているので、背中の湾曲状態に応じて撓むことができるので、上記効果が得られる。
また、前記板状磁性体の磁界が形成された面は、身体の背中側に袋に入れずに直接配設したので、磁気効果が有効に作用する。
また、面ファスナーにより、所望の位置で係止することができるので、身体のサイズに応じた部位に磁気の作用を与えることができる。
【考案を実施するための最良の形態】
【０００７】
以下に、本考案にかかる脊椎用磁気装着体を、その実施の形態を示した図面に基づいて詳細に説明する。
前記脊椎用磁気装着体を身体に装着した状態を示した図１、２、３と、前記脊椎用磁気装着体１の要部の側面断面図を示した図４において、
１は脊椎用磁気装着体であり、少なくとも一面側に磁極が配設された可撓性の板状磁性体２Ａと、前記板状磁性体２を磁気吸引効果により所定の部位に支持する支持用磁性体２Ｂと、この支持用磁性体２Ｂを収納した袋２Ｃと、前記袋２Ｃに係止されて、前記支持用磁性体２Ｂを身体の脊椎近傍に保持するベルト状の第１の保持手段３、ベルト状の第２の保持手段４、および肩ベルト状の第３の保持手段５とから構成されている。
【０００８】
前記板状磁性体２Ａは、身体装着時に身体の脊椎およびその両側部に磁界を形成するように所定幅で板状に磁化されたゴム磁石からなり、縦長で一枚の板状磁性体である。この板状磁性体２Ａは、縦が３０センチ〜６０センチ、横が５センチ〜１５センチの可撓性の板状であって、第１面側から垂直な磁力線が形成されている。
図５に示したように、第２面側には、長手方向に不連続な磁極が配設されている。例えば横方向に同一磁極が配設されている。実際には、第１面と第２面とにＳ極とＮ極とが交互に配設されたものを使用する。
【０００９】
前記支持用磁性体２Ｂは、前記板状磁性体２Ａとほぼ同じ外形寸法であり、袋２Ｃに収納されている。
図５、６に示したように、前記支持用磁性体２Ｂの１面側には、長手方向に不連続な磁極が配設されている。例えば横方向に同一磁極が配設されている。実際には、第１面と第２面とにＳ極とＮ極とが交互に配設されたものを使用する。前記支持用磁性体２Ｂの第１面側と、前記板状磁性体２Ａの第２面側とを向かい合わせて磁気吸着させて支持する。
【００１０】
前記支持用磁性体２Ｂの１面側には、長手方向に不連続な磁極が配設されているので、前記長手方向にはズレにくい。すなわち、前記板状磁性体２Ａを背中に縦に支持したとき、縦方向にはズレにくいのである。もし、長手方向に連続した磁極配列であると、連続した磁極に沿ってズレやすいので、縦方向にズレ落ちやすいが、本考案の上記構成であれば、縦方向にはズレにくいのである。
【００１１】
前記支持用磁性体２Ｂは袋２Ｃに収納されて支持されているが、前記板状磁性体２Ａは、袋に収納されずに、磁気吸引により支持されているので、前記板状磁性体２Ａの第１面は、露出しており直接背中に向かって磁力線を出している。したがって、磁気効果が弱められることが防止されて、効果的な磁気治療効果が期待できる。
また、前記支持用磁性体２Ｂは袋２Ｃに収納されているから汚れにくいが、前記板状磁性体２Ａは露出しているので汚れやすくなる。汚れた場合は、磁気吸着しているだけだから、引き剥がして汚れを拭き取ることによって、いつでも清潔な状態で使用することができる。
【００１２】
前記第１の保持手段３は身体へ着脱可能な左右一対の第１の腰ベルト部３１ａ，３１ｂからなり、その中央部は、前記袋２Ｃの下部の１端部の近傍に面ファスナーなどで係止され、前記第１の保持手段３の両端部には、身体の腹部で係止できるように面ファスナー３１ｃを備えている。
前記第１の保持手段３の装着状態における周長は、６０センチ〜１２０センチであり、使用者の腹囲に応じた長さとするが、その長さを伸縮調整可能としている。
【００１３】
前記第２の保持手段４は、身体へ着脱可能な左右一対の第２の腰ベルト部４１ａ，４１ｂからなり、その中央部は、前記袋２Ｃの下部から１０センチ〜２０センチ離れた部分に面ファスナーなどで係止され、前記第２の腰ベルト部４１ａ，４１ｂの両端部は、身体の腹部で、前記第１の腰ベルト３１ａ，３１ｂの表面に係止できるように面ファスナー４１ｃを備えている。
前記第２の腰ベルト部４１ａ，４１ｂの装着状態における周長は、６０センチ〜１２０センチであり、使用者の腹囲に応じた長さとするが、その長さを伸縮調整可能としている。
【００１４】
前記第２の保持手段４を構成する第２の腰ベルト部４１ａ，４１ｂは、使用者の腹部で、前記第１の腰ベルトに係止するので、前記袋２Ｃの下部から１０センチ〜２０センチ離れた部分を、前方斜め下に引き寄せて湾曲させることになる。したがって、背中が湾曲している状態であっても、前記板状磁性体２Ａも脊椎に沿って湾曲するので、充分な磁気治療効果が得られるのである。
【００１５】
なお、前記各面ファスナーは、互いに重ねて掛止可能とするために、各ベルト部の内側面もしくは外側面に備えている。
前記第１の保持手段３と前記第２の保持手段４との係止部位を広い範囲で変更できるように、面ファスナーの面積を広くするとよい。
また、前記第１の保持手段３の装着サイズを拡縮できるように、面ファスナーの範囲を広くするとよい。
【００１６】
前記第１の保持手段３と第２の保持手段４とによって、前記袋２Ｃに収納された支持用磁性体２Ｂを脊椎に沿って保持するので、前記支持用磁性体２Ｂに磁気吸引されて支持された前記板状磁性体２Ａから発せられる磁力線は減衰することなく、脊椎の真上に付いている棘筋、横突間筋の痛みや、背骨周囲の浮腫に対して磁気治療効果が期待できる。
【００１７】
背骨がねじれた場合にその椎骨の椎間孔が狭窄を起こし、その周囲に浮腫が発生し、神経根を圧迫するが、本考案の脊椎用磁気装着体を装着するとそこにも磁力が当たり、血行を促し浮腫の改善にも期待できるものである。
また、脊椎まわりの血行を促し、筋を回復させ、背骨の凝り感や痛みの改善が期待できるのである。
このようにして、本考案の脊椎用磁気装着体１の板状磁性体２は、椎骨の棘突起と横突起に付着する棘筋や横突間筋に磁力が当たるように腰椎骨を覆うので、脊椎まわりの血行を促し、筋を回復させ、背骨の凝り感や痛みの改善が期待できるのである。
【００１８】
また、前記板状磁性体２の素材に、イオンを発生させるものやセラミックや鉱石等を付着あるいは練り込んでも良い。
また、使用するゴム磁石は長いシート状のために割れを防止するために、テープで固定したり、ゴム磁石の中に繊維を入れたものを作って割れないようにしても良いし、磁石の種類はシート状であれば何でも良い。
【実施例１】
【００１９】
実施例１の脊椎用磁気装着体は、７ｃｍの幅で第２胸椎から第２仙骨稜に当たるよう作ったものであるが、幅は限定せず、部分的に作っても良く、デザインはどんな形でも良いのである。例えば４ｃｍの幅で腰椎の３番だけにセットしても良いし、１０ｃｍの幅で胸椎の４番から１１番までと言うように脊柱であればどこでも良 い。
【実施例２】
【００２０】
図７、８に示した本考案の実施例２の脊椎用磁気装着体１Ａは、
下部係止手段を、第１の保持手段３Ａと第２の保持手段３Ｂだけでなく、第３の保持手段３Ｃも備えることによって３本のベルト状の保持手段で構成したので、脊椎が反って湾曲している状態でも、板状磁性体２Ａを湾曲させて背中に沿わせた状態で保持することができる。特に、長時間装着していると、板状磁性体得２Ａの途中部分が背中から浮きやすくなるが、前記第３の保持手段で浮きを抑えて保持することができる。
また、上部係止手段を、第１の肩ベルト５Ａと第２の肩ベルト５Ｂとの２本の肩ベルトで構成したので、長時間装着しても肩の部分からずれ落ちにくくなるとともに、肩への荷重が分散されるので肩への負担が軽減できる。
さらに、図８において符号３１Ａで示したように、第１の保持手段３Ａのベルト状部分が腹部に当たると、腹部を圧迫して窮屈に感じるので、身体に装着した状態においける腹部に対応する部位の一部を切り込んで凹部３１Ａを形成して、腹部を圧迫しないように構成した。そのため、極めて快適に着用することができる。
下部係止手段は、図７、８に示した形態が好ましい。
【実施例３】
【００２１】
図９、１０に示した本考案の実施例３の脊椎用磁気装着体１Ｂは、
上部係止手段としての２本の肩ベルト５Ａ、５Ｂを、肩に掛けて脇の下を通して腰の背中側において、下部係止手段に面ファスナーなどの手段で係止するように構成した。
このように、肩ベルトを、肩から脇の下を通して背中側で係止することによって、前かがみになった姿勢でも、肩ベルトがたるむことを防止できる。また、脇の下から後ろへ廻すので肩ベルトが胸部を圧迫しないため、女性も快適に着用することができる。
上部係止手段は、図９、１０に示した使用形態が好ましい。
【図面の簡単な説明】
【００２２】
【図１】本考案にかかる脊椎用磁気装着体の実施の形態を装着した状態の背面図である。
【図２】本考案にかかる脊椎用磁気装着体の実施の形態を装着した状態の正面図である。
【図３】本考案にかかる脊椎用磁気装着体の実施の形態の説明図である。
【図４】本考案にかかる脊椎用磁気装着体の要部の側面断面図である。
【図５】前記脊椎用磁気装着体の磁極の配列状態を説明する側面断面図である。
【図６】前記脊椎用磁気装着体の磁極の配列状態を説明する平面図である。
【図７】本考案の実施例２の脊椎用磁気装着体の実施の形態を装着した状態の背面図である。
【図８】前記実施例２の脊椎用磁気装着体の実施の形態の説明図である。
【図９】本考案の実施例３の脊椎用磁気装着体の実施の形態を装着した状態の背面図である。
【図１０】前記実施例３の脊椎用磁気装着体の実施の形態を装着した状態の正面図である。
【符号の説明】
【００２３】
１  脊椎用磁気装着体
２Ａ  板状磁性体
２Ｂ  支持用磁性体
２Ｃ  袋
３、４  下部係止手段
３  第１の保持手段
４  第２の保持手段
５  上部係止手段、肩ベルト
３１ａ，３１ｂ  第１の腰ベルト部
４１ａ，４１ｂ  第２の腰ベルト部
５１ａ，５１ｂ  肩ベルト
３１ｃ，４１ｃ  面ファスナー
１Ａ  脊椎用磁気装着体
３Ａ  第１の保持手段
３Ｂ  第２の保持手段
３Ｃ  第３の保持手段
５Ａ  第１の肩ベルト
５Ｂ  第２の肩ベルト
１Ｂ  脊椎用磁気装着体
【図１】
0003141986.tif 000003
【図２】
0003141986.tif 000004
【図３】
0003141986.tif 000005
【図４】
0003141986.tif 000006
【図５】
0003141986.tif 000007
【図６】
0003141986.tif 000008
【図７】
0003141986.tif 000009
【図８】
0003141986.tif 000010
【図９】
0003141986.tif 000011
【図１０】
0003141986.tif 000012